(57)【要約】【課題】本体２２と蓋体２６とを有する箱体２０の前記本体２２内に、シート１を巻き丸めたシートロール２が収納されており、先端側にしごき突起３２を有するしごき板３０が、前記しごき突起３２を前記本体２２の背面板側に向け、後端縁が折り部３６を介して前記本体２２の前面板２２ａの上端縁に上下に傾動可能に連なっており、しかも前記シート１が、前記シートロール２の前記前面板２２ａ側から、前記しごき突起３２と前記背面板との間の隙間から前記前面板２２ａと前記蓋体２６の前縁板２６ａとの間の隙間を通って引き出されるシートロール包装体１０において、前記しごき突起３２の耐力を高め、その変形を抑制できるようにする。【解決手段】前記しごき突起３２を幅方向に二分する位置にエンボス加工又は押し罫加工による凹凸ライン６０を形成し、凹凸ライン６０のリブ効果によりしごき突起３２を補強する。【選択図】図１
2015034036.tif 000002
【特許請求の範囲】
【請求項１】
底面板の四方に前面板、左右の側面板及び背面板が立ち上げられ、上部が開口部となった本体と、開閉可能で、閉じた時に前記本体の開口部上に被さる天面板及び前記本体の前面板の上部外面側に被さる前縁板を備えた蓋体とを有する箱体の前記本体内に、シートを巻き丸めたシートロールが収納されたシートロール包装体において、
先端側にしごき突起を有するしごき板が、前記しごき突起を前記背面板側に向け、後端縁が折り部を介して前記前面板の上端縁に上下に傾動可能に連なっていると共に、しごき突起を幅方向に二分する位置にエンボス加工又は押し罫加工による凹凸ラインが形成されており、しかも前記シートが、前記シートロールの前記前面板側から、前記しごき突起と前記背面板との間の隙間と、前記しごき板と天面板との間の隙間と、前記前面板と前記前縁板との間の隙間とを通って引き出されることを特徴とするシートロール包装体。
【請求項２】
前記しごき突起の幅方向断面が上向き又は下向きの山形となっていることを特徴とする請求項１に記載のシートロール包装体。
【請求項３】
前記しごき突起が、前記しごき板の幅方向に複数設けられていることを特徴とする請求項１又は２に記載のシートロール包装体。
【請求項４】
前記しごき突起間の前記しごき板の先端縁が、前記背面板側に凸の湾曲ラインを複数直列させた形状であることを特徴とする請求項１〜３のいずれか一項に記載のシートロール包装体。
【請求項５】
前記しごき板の後端縁から前記しごき突起の先端までの間隔をＸ、前記前面板と前記背面板との間隔をＹとした時に、Ｘ／Ｙ≧０．３であることを特徴とする請求項１〜４のいずれか一項に記載のシートロール包装体。
【請求項６】
前記しごき突起が、三角形状の突出部で、その頂角が１１０度〜１５０度であることを特徴とする請求項１〜５のいずれか一項に記載のシートロール包装体。
【発明の詳細な説明】
【技術分野】
【０００１】
本発明は、本体と蓋体で構成された箱体の本体内に、シートを巻き丸めたシートロールを、シートを順次引き出して使用できるように収納したシートロール包装体に関する。
【背景技術】
【０００２】
従来、例えば特許文献１に示されるように、底面板の四方に前面板、左右の側面板及び背面板が立ち上げられ、上部が開口部となった本体と、開閉可能で、閉じた時に前記本体の開口部上に被さる天面板及び前記本体の前面板の上部外面側に被さる前縁板を備えた蓋体とを有する箱体の前記本体内に、シートを巻き丸めたシートロールを収納したシートロール包装体が知られている。このようなシートロール包装体は、収納されたシートロールの背面板側から、前面板と前縁板との間の隙間を通してシートを引き出して、箱体に設置されている切断刃により所望の長さに切断して使用することができるようになっている。
【０００３】
シートの種類としては、ラップフィルム、クッキングシート、クッキングホイル、オーブンホイル、アルミホイル等、が挙げられ、様々な種類のシートが上述した構造のシートロール包装体に収納されている。
【先行技術文献】
【特許文献】
【０００４】
【特許文献１】特開２００８−２４７４８４号公報
【発明の概要】
【発明が解決しようとする課題】
【０００５】
ところで、クッキングシートは、合成樹脂だけで構成されているラップフィルムとは違い、薄い紙の表面にシリコーン樹脂やフッ素系樹脂等をコーティングしたもので、巻き癖が付きやすい層構成となっている。クッキングシートは、巻き丸められたシートロールとして箱体内に収納されており、使用時に箱体から引き出し、箱体が備えるカッターで切断して使用する。しかし、クッキングシートは、上述したように紙層を有するため、巻き丸めて箱体に収納することにより巻癖がついてしまい、使用時にシート自体が丸まってしまう問題があった。シートが使用時に丸まってしまうと、そのままでは食材等を置くことが難しく、切断したシートの巻癖を直してから食材を置くという手間がかかっていた。
【０００６】
本発明者等は、上記問題を解決するために、従来用いている箱体と同様な基本構成の箱体を用い、引き出す際にシートをしごいて巻癖を解消できるシートロール包装体を発明した。具体的には、先端側にしごき突起を有するしごき板が、しごき突起を背面板側に向け、後端縁を介して前面板の上端縁に上下に傾動可能に連なっており、シートが、シートロールの前面板側から、しごき突起と背面板との間の隙間と、しごき板と天面板との間の隙間と、前面板と前縁板との間の隙間とを通って引き出されるシートロール包装体を発明した（特願２０１２−２４４２２４参照）。このシートロール包装体の場合、シートの引出し経路がしごき板によって大きく屈曲されており、シートが引き出される際に、シートの表面側（シートロールにおける外周面側）がしごき板の先端側に設けられたしごき突起に押し当てられてしごかれることになる。そして、しごかれながら引き出されたシートは、巻癖が解消された状態で取り出されることになる。
【０００７】
上述したシートロール包装体によれば、収納したシートロールがクッキングシートのシートロールであっても、その巻癖を解消することが可能である。しかし、シートとの擦れ合いによってしごき突起が変形してしまうと、シートのしごき状態が弱くなり、巻癖の解除力が弱くなる。このため、シートとの擦れ合いに対するしごき突起の耐力をできるだけ高めておき、変形を抑制できるようにしておくことが好ましい。
【０００８】
そこで、本発明は、引き出し時にシートが押し当てられてしごかれるしごき突起を有するしごき板を設けたシートロール包装体において、しごき突起の耐力を高め、その変形を抑制できるようにすることを目的とする。
【課題を解決するための手段】
【０００９】
上記課題を解決するために、本発明は、底面板の四方に前面板、左右の側面板及び背面板が立ち上げられ、上部が開口部となった本体と、開閉可能で、閉じた時に前記本体の開口部上に被さる天面板及び前記本体の前面板の上部外面側に被さる前縁板を備えた蓋体とを有する箱体の前記本体内に、シートを巻き丸めたシートロールが収納されたシートロール包装体において、
先端側にしごき突起を有するしごき板が、前記しごき突起を前記背面板側に向け、後端縁が折り部を介して前記前面板の上端縁に上下に傾動可能に連なっていると共に、しごき突起を幅方向に二分する位置にエンボス加工又は押し罫加工による凹凸ラインが形成されており、しかも前記シートが、前記シートロールの前記前面板側から、前記しごき突起と前記背面板との間の隙間と、前記しごき板と天面板との間の隙間と、前記前面板と前記前縁板との間の隙間とを通って引き出されることを特徴とするシートロール包装体を提供するものである。
【００１０】
上記本発明は、前記しごき突起の幅方向断面が上向き又は下向きの山形となっていること、
前記しごき突起が、前記しごき板の幅方向に複数設けられていること、
前記しごき突起間の前記しごき板の先端縁が、前記背面板側に凸の湾曲ラインを複数直列させた形状であること、
前記しごき板の後端縁から前記しごき突起の先端までの間隔をＸ、前記前面板と前記背面板との間隔をＹとした時に、Ｘ／Ｙ≧０．３であること、
前記しごき突起が三角形状の突出部で、その頂角が１１０度〜１５０度であること
をその好ましい態様として含むものである。
【発明の効果】
【００１１】
本発明によれば、シートを引き出す際に、シートの表面側をしごき突起に押し当ててしごくことで、シートに付いた巻癖を解除しながら引き出すことができる。
【００１２】
ところで、しごき突起はシートに引出しに伴って繰り返しシートと擦れ合うことになる。本発明においては、しごき突起に凹凸ラインが設けられており、この凹凸ラインのリブ効果によりしごき突起の剛性が高められているので、シートとの擦れ合いに対する体制が高く、変形を抑制することができる。従って、長期にわたって良好な巻癖の解除性を維持することができる。
【図面の簡単な説明】
【００１３】
【図１】本発明に係るシートロール包装体の一実施形態を示す斜視図である。
【図２】図１に示されるシートロール包装体の箱体の蓋体を閉じた状態の中央部の拡大断面図である。
【図３】図１に示されるシートロール包装体の箱体の蓋体を開いた状態の中央部の部分拡大図である。
【図４】図１に示されるシートロール包装体の箱体の蓋体を開き、しごき板を立ち上げた状態の端部の部分拡大図である。
【図５】図１に示されるシートロール包装体の箱体の蓋体を開き、しごき板の係止片を箱体の側壁に設けた受け部に係止させた状態の端部の部分拡大図である。
【図６】本発明のシートロール包装体に用いる箱体の展開図である。
【発明を実施するための形態】
【００１４】
以下、図面を用いて本発明の実施形態を説明する。また、以下に参照する図面において、同じ符号は同様の構成要素を示す。
【００１５】
図１に示すように、シートロール包装体１０は、本体２２と蓋体２６とで構成された箱体２０を用いたもので、その本体２６内にシート１を多重に巻き丸めたシートロール２を収納したものとなっている。
【００１６】
箱体２０は、横長の直方体で、軸方向を横方向にしたシートロール２を収容する本体２２と、本体２２上に開閉可能に被さる蓋体２６を備えている。図１及び図６に示すように、本体２２は、前面板２２ａ、側面板２２ｂ，２２ｃ、背面板２２ｄ及び底面板２２ｅを備えている。前面板２２ａ、側面板２２ｂ，２２ｃ及び背面板２２ｄは、底面板２２ｅの周囲から立ちあげられて本体２２の周壁を構成している。本体２２の上部は開口部となっており、蓋体２６は、閉じた時に本体２２の前面板２２ａの上部外面側に被さる前縁板２６ａと、本体２２の側面板２２ｂ，２２ｃの上部外面側に被さる側縁板２６ｂ，２６ｃと、本体２２の開口部上に被さる天面板２６ｄとを備えている。天面板２６ｄの後縁は本体２２の背面板２２ｂの上縁に連なっており、前縁板２６ａと側縁板２６ｂ，２６ｃは天面板２６ｄの前縁と側縁にそれぞれ連接されている。特に図６に示すように、前面板２２ａの両側縁には補助片２７ａ，２７ｂ、背面板２２ｄの両側縁には補助片２７ｃ，２７ｄ、天面板２６ｄの両側には補助片２７ｅ，２７ｆがそれぞれ連接されている。補助片２７ａ〜２７ｄは、それぞれ隣接する側面板２２ｂ，２２ｃの内側に宛がわれて接着されており、補助片２７ｅ，２７ｆはそれぞれ側縁板２６ｂ，２６ｃの内側に宛がわれて接着されている。また、箱体２０は、シートロール２から引き出したシート１を切断するための切断刃２８を備えている。本例における切断刃２８は、蓋体２６の前縁板２６ａの先端縁部に下向きに取り付けられているが、本体２２の前面板２２ａの下縁部に、底面板２２ｅより若干下方へ突出するように下向きに取り付けたり、底面板２２ｅの前縁部に、前面板２２ａより若干前方へ突出するように前向きに取り付けたりすることもできる。
【００１７】
シート１は、巻き丸められて、シートロール２として箱体２０に収納されている。本発明は、巻癖が付いてしまうシート１のシートロール２の収納に適したもので、このようなシート１の具体例としては、例えばクッキングシート、オーブンシート等を挙げることができる。シートロール２は、シート１を紙管等の芯材を用いずに巻き丸めたものでも、シート１を芯材に巻き付けたものでもよい。シートロール２は、引き出されるシート１の表面側（シートロール２における外周面側）を後述するしごき突起３２でしごくことができるよう、図２に示すように、前面板２２ａ側からシート１が引き出される向きで収納されている。
【００１８】
本体２２の前面板２２ａの上端縁には、先端側にしごき突起３２が設けられたしごき板３０が連接されている。しごき板３０は、しごき突起３２を背面板２２ｄ側に向け、後端縁が折り部３６を介して前面板２２ａに連なり、上下に傾動可能となっていることにより、シートロール２の出し入れが可能となっている。しごき板３０は、本体２２内に収納されたシートロール２上に被さるように、折り部３６を介して内側に倒されている。しごき板３０上に天面板２６を被せるように蓋体２６を閉じた状態において、シート１は、シートロール２の前面板２２ａ側から、しごき突起３２と背面板２２ｄとの間の隙間と、しごき板３０と蓋体２６の天面板２６との間の隙間と、本体２２の前面板２２ａの上部外面側と蓋体２６の前縁板２６ａとの間の隙間を通って箱体２０外に引き出される。上記経路でシート１が引き出される際に、シート１はしごき突起３２部分で大きく屈曲されているので、しごき突起３２に押し付けられて、その表面側がしごかれ、巻き癖が解除される。しごき板３０の後端縁からしごき突起３２の先端までの間隔をＸ、本体２２の前面板２２ａと背面板２２ｄとの間隔をＹとした時に、シート１をしごきやすくする上で、Ｘ／Ｙ≧０．３であることが好ましい。
【００１９】
しごき板３０に設けられているしごき突起３２は、本体２２の背面板２２ｄに頂点を向けた三角形状の突出部で、本例ではしごき板３０の幅方向（収納されているシートロール２の中心軸方向）に２箇所設けられている。しごき突起３２は、しごき板３０の幅方向中央領域に設けることが好ましく、１箇所のみに設けることもできるが、できるだけ広い範囲の巻癖を解除しやすくするために、複数個所設けることが好ましい。しごき突起３２を複数個所設ける場合、できるだけ均一に巻癖を解除できるよう、しごき板３０の幅方向の中央を基準に左右対称となる位置に設けることが好ましい。設けるしごき突起３２の数は、シート１の幅にもよるが、一般的な幅（２０〜４０ｃｍ程度）のシート１の場合２〜３箇所が好ましい。また、三角形状に突出するしごき突起３２の頂角は、１１０度〜１５０度であることが好ましい。しごき突起３２の頂角が小さすぎるとシート１が引っ掛かりやすくなって引き出し性が不安定になりやすく、逆に大きすぎるとしごき効果が薄くなりやすい。
【００２０】
図３に拡大して示すように、各しごき突起３２を幅方向に二分する位置に、エンボス加工又は押し罫加工により、片面側が凸で他面側が凹となった凹凸ライン６０が設けられている。このようにすることによって、凹凸ライン６０のリブ効果によってしごき突起３２の剛性が向上し、繰り返しシート１が押し付けられることによるしごき突起３２のヘタリを抑制することができる。凹凸ライン６０は、上向きに凸でも下向きに凸でもよい。また、この凹凸ライン６０を設けることで、しごき突起３２の幅方向断面を上向き又は下向きの山形とし、より剛性を高めることもできる。
【００２１】
複数のしごき突起３２を設ける場合、しごき突起３２間のしごき板３０の先端縁は、背面板２２ｄ側に凸の湾曲ラインを複数直列させた形状とすることが好ましい。このようにすると、しごき突起３２間でシート１が強く擦れて引き出し性が不安定になることを防止しやすくなる。
【００２２】
図１、図４及び図５に示すように、しごき板３０の両側縁にはそれぞれ係止片５０が突出しており、本体２２の両側面板２２ｂ，２２ｃに、それぞれ係止片５０と係合する受け部５２が形成されている。本例の受け部５２は、両側面板２２ｂ，２２ｃの上縁に係止片５０を受容可能に形成された切り欠き部で、この切り欠き部の少なくとも一方の上縁部が内側にせり出しており、開口幅が底部幅より狭くなっている。つまり、本例の受け部５２を構成している切り欠き部は、底部幅が係止片５０の幅に対応し、開口幅がそれより狭くなっている。このため、この切り欠き部である受け部５２の底部まで係止片５０を押し込むと、受け部５２の上縁部に当接して抜けにくくなって係止されることになる。係止片５０が受け部５２に係止されると、しごき板３０が上下に傾動するのが係止され、シート１を引き出す際にしごき板３０が傾動してシート１へのしごき突起３２の押し付けが不安定になるのを防止することができる。
【００２３】
係止片５０と受け部５２は、係止片５０を少なくともしごき板３０の一側縁に設け、受け部５２を係止片５０に対応する側の側面板２２ｂ又は２２ｃに設ければ足る。しかし、しごき板３０をより確実に係止できるようにするためには、係止片５０をしごき板３０の両側縁に設け、受け部５２を両側面板２２ｂ，２２ｃに設けることが好ましい。また、受け部５２は、側面板２２ｂ，２２ｃの上部に係止片５０を差し込み可能に形成したスリット部とすることもできる。受け部５２をスリット部で構成した場合、しごき板３０のより強い係止力を得やすくなる。
【００２４】
図１及び図３に示すように、しごき板３０の後端縁から本体２２の前面板２２ａよりも外方へ突出片４０が突出している。シート１は、蓋体２６を閉めた状態で引き出される。この時、箱体２０を握る力により、蓋体２６の前縁板２６ａを介して突出片４０が背面板２２ｄ側へ押されることで、しごき板３０の先端側に設けたしごき突起３２を、しごき突起３２と背面板２２ｄとの間の隙間を通って引き出されるシート１へ押し付けることができる。従って、しごき突起３２によりシート１を確実にしごくことができ、シート１の巻癖を確実に解除することができる。
【００２５】
本例の突出片４０は、両端が間隔を開けてそれぞれしごき板３０の後端縁上又は後端縁よりしごき板３０の内側に位置し、前面板２２ａの上縁部側に凸形状に形成された切り込み４０’と、この切り込み４０’で挟まれたしごき板３０の後端縁とで囲まれた領域として形成されている。また、しごき板３０の後端縁と前面板２２ａの上端縁との間に設けられた折り部３６は、切り込み４０’で挟まれた領域を除いて形成されているので、折り部３６を介してしごき板３０を前面板２２ａから屈曲させると、自動的に、しごき板３０の後端縁から本体２２の前面板２２ａよりも外方へ突出した突出片４０が形成されることになる。突出片４０は、例えば厚紙片を、前面板２２ａよりも外方へ突出させた状態でしごき板３０の後端縁部に接着することでも設けることができる。しかし、上記のような切り込み４０’によって形成すると、他の部材を用意したり接着したりする手間を省略することができ、製造工程を簡略化することができる。
【００２６】
突出片４０は、押圧した時の変形を抑制しやすくするために、等脚台形状に突出していることが好ましい。また、しごき突起３２に押し付け力を伝達しやすくするために、しごき突起３２が設けられている領域に対向する領域に設けられていることが好ましい。
【００２７】
本発明に係るシートロール包装体は、以上説明したようなもので、シート１を引き出す際に、しごき突起３２でシート１の表面側をしごくことで、その巻癖を解除することができる。また、しごき突起３２は、巻き癖の解除の他、引き出したシート１を切断する時にシート１を押えてずれを防止し、切断しやすくする働きもなす。突出片４０も、蓋体２６の前縁板２６ａとの間にシート１を挟むので、やはり引き出したシート１を切断する時にシート１を押えてずれを防止し、切断しやすくする働きもなす。
【符号の説明】
【００２８】
１：シート、２：シートロール、１０：シートロール包装体、２０：箱体、２２ａ：前面板、２２ｂ，２２ｃ：側面板、２２ｄ：背面板、２２ｅ：底面板、２６：蓋体、２６ａ：前縁板、２６ｂ，２６ｃ：側縁板、２６ｄ：天面板、２７ａ〜２７ｆ：補助片、２８：切断刃、３０：しごき板、３２：しごき突起、３６：折り部、４０：突出片、５０：係止片、５２：受け部、６０：凹凸ライン
【図１】
2015034036.tif 000003
【図２】
2015034036.tif 000004
【図３】
2015034036.tif 000005
【図４】
2015034036.tif 000006
【図５】
2015034036.tif 000007
【図６】
2015034036.tif 000008